(57)【特許請求の範囲】
【請求項１】
画像を形成する画像形成手段と、
動作可能モードと、前記動作可能モードよりも消費電力の小さい省電力モードとのいずれか一方に動作モードを切り換える切換手段と、
個人情報とプリントデータとを含む機密プリントデータを受信し、記憶する機密プリント受信手段と、
ユーザを認証する認証手段と、
前記記憶された機密プリントデータのうちに前記認証手段により認証されたユーザのユーザ識別情報を含む機密プリントデータが存在する場合、前記認証されたユーザのユーザ識別情報を含む機密プリントデータに含まれるプリントデータの画像を前記画像形成手段に形成させる機密プリント手段と、
人体を検出する検出センサと、
個人情報が入力される個人情報読取装置と、
前記個人情報読取装置に供給する電力を制御する電力制御手段と、を備え、
前記切換手段は、省電力モードに切り換えているときに、前記認証手段によりユーザが認証されることに応じて、前記動作可能モードに切り換える動作可能モード切換手段と、
前記動作可能モード切換手段により前記動作可能モードに切り換えられた後、前記画像形成手段による前記認証されたユーザのユーザ識別情報を含む機密プリントデータに含まれるプリントデータの画像形成が終了した後に、前記省電力モードに切り換える省電力モード切換手段と、を含み、
前記認証手段は、前記個人情報読取装置に入力された個人情報に基づいて、ユーザを認証し、
前記電力制御手段は、前記切換手段により省電力モードに切り換えられる場合、前記記憶手段に前記機密プリントデータが記憶されている場合は、前記個人情報読取装置に電力を供給し、前記記憶手段に前記機密プリントデータが記憶されていない場合は、前記個人情報読取装置に供給する電力を遮断し、前記検出センサにより人体が検出されることに応じて、前記個人情報読取装置に電力を供給する、画像形成装置。
【請求項２】
前記動作可能モードは、全動作可能モードと、前記全動作可能モードよりも消費電力の小さいプリント動作可能モードと、を含み、
前記動作可能モード切換手段は、前記記憶された機密プリントデータのうちに前記認証手段により認証されたユーザのユーザ識別情報を含む機密プリントデータが存在する場合は、前記プリント動作可能モードに切り換える第１切換手段と、
前記記憶された機密プリントデータのうちに前記認証手段により認証されたユーザのユーザ識別情報を含む機密プリントデータが存在しない場合は、前記全動作可能モードに切り換える第２切換手段と、を含む、請求項１に記載の画像形成装置。
【請求項３】
前記個人情報読取装置は、個人情報を読み取り、出力する外部装置を含む、請求項１または２に記載の画像形成装置。
【請求項４】
前記外部装置と接続可能であり、接続された前記外部装置に電力を供給する通信回路を含み、
前記認証手段は、前記通信回路に前記外部装置が接続されているか否かを検出する接続検出手段をさらに含み、
前記電力制御手段は、前記切換手段により省電力モードに切り換えられる間、前記接続検出手段により前記外部装置が接続されていることが検出されている場合は、前記操作パネルよりも優先して前記通信回路に電力を供給する、請求項３に記載の画像形成装置。
【請求項５】
前記個人情報読取装置は、ユーザの操作を受け付ける操作パネルを含む、請求項１〜４のいずれかに記載の画像形成装置。
【請求項６】
前記認証手段によりユーザが認証された後に、認証に成功したことを通知する通知手段をさらに備え、
前記電力制御手段は、前記認証手段により認証されることに応じて、前記通知手段に電力を供給する、請求項１〜５のいずれかに記載の画像形成装置。
【請求項７】
画像を形成する画像形成手段を備えた画像形成装置で実行される機密プリント方法であって、
前記画像形成装置は、人体を検出する検出センサと、
個人情報が入力される個人情報読取装置と、を備え、
動作可能モードと、前記動作可能モードよりも消費電力の小さい省電力モードとのいずれか一方に動作モードを切り換える切換ステップと、
個人情報とプリントデータとを含む機密プリントデータを受信し、記憶する記憶ステップと、
ユーザを認証する認証ステップと、
前記記憶された機密プリントデータのうちに前記認証されたユーザのユーザ識別情報を含む機密プリントデータが存在する場合、前記認証されたユーザのユーザ識別情報を含む機密プリントデータに含まれるプリントデータの画像を前記画像形成手段に形成させるステップと、
前記個人情報読取装置に供給する電力を制御する電力制御ステップと、を含み、
前記切換ステップは、省電力モードに切り換えているときに、前記認証ステップにおいてユーザが認証されることに応じて、前記動作可能モードに切り換えるステップと、
前記動作可能モードに切り換えられた後、前記画像形成手段による前記認証されたユーザのユーザ識別情報を含む機密プリントデータに含まれるプリントデータの画像形成が終了した後に、前記省電力モードに切り換えるステップと、を含み、
前記認証ステップは、前記個人情報読取装置に入力された個人情報に基づいて、ユーザを認証し、
前記電力制御ステップは、前記切換ステップにおいて省電力モードに切り換えられる場合、前記記憶ステップにおいて前記機密プリントデータが記憶されている場合は、前記個人情報読取装置に電力を供給するステップと、
前記切換ステップにおいて省電力モードに切り換えられる場合、前記記憶ステップにおいて前記機密プリントデータが記憶されていない場合は、前記個人情報読取装置に供給する電力を遮断し、前記検出センサにより人体が検出されることに応じて、前記個人情報読取装置に電力を供給するステップと、を含む、機密プリント方法。
【請求項８】
画像を形成する画像形成手段を備えた画像形成装置を制御するコンピュータで実行される機密プリントプログラムであって、
前記画像形成装置は、人体を検出する検出センサと、
個人情報が入力される個人情報読取装置と、を備え、
動作可能モードと、前記動作可能モードよりも消費電力の小さい省電力モードとのいずれか一方に動作モードを切り換える切換ステップと、
個人情報とプリントデータとを含む機密プリントデータを受信し、記憶する記憶ステップと、
ユーザを認証する認証ステップと、
前記記憶された機密プリントデータのうちに前記認証されたユーザのユーザ識別情報を含む機密プリントデータが存在する場合、前記認証されたユーザのユーザ識別情報を含む機密プリントデータに含まれるプリントデータの画像を前記画像形成手段に形成させるステップと、
前記個人情報読取装置に供給する電力を制御する電力制御ステップと、を前記コンピュータに実行させ、
前記切換ステップは、省電力モードに切り換えているときに、前記認証するステップにおいてユーザが認証されることに応じて、前記動作可能モードに切り換えるステップと、
前記動作可能モードに切り換えられた後、前記画像形成手段による前記認証されたユーザのユーザ識別情報を含む機密プリントデータに含まれるプリントデータの画像形成が終了した後に、前記省電力モードに切り換えるステップと、を含み、
前記認証ステップは、前記個人情報読取装置に入力された個人情報に基づいて、ユーザを認証し、
前記電力制御ステップは、前記切換ステップにおいて省電力モードに切り換えられる場合、前記記憶ステップにおいて前記機密プリントデータが記憶されている場合は、前記個人情報読取装置に電力を供給するステップと、
前記切換ステップにおいて省電力モードに切り換えられる場合、前記記憶ステップにおいて前記機密プリントデータが記憶されていない場合は、前記個人情報読取装置に供給する電力を遮断し、前記検出センサにより人体が検出されることに応じて、前記個人情報読取装置に電力を供給するステップと、を含む、機密プリントプログラム。
【発明の詳細な説明】
【技術分野】
【０００１】
この発明は、画像形成装置、機密プリント方法および機密プリントプログラムに関し、特に機密プリント機能を備えた画像形成装置、機密プリント方法および機密プリントプログラムに関する。
【背景技術】
【０００２】
通常は、画像形成することができる動作モードと、ユーザが使用しないときは画像形成することはできないが消費電力の低い省電力モードとに切り換える画像形成装置が知られている（例えば、特許文献１）。従来の画像形成装置は、ユーザが操作しない時間が所定時間以上になると、動作モードを省電力モードに切り換える。
【０００３】
また、ＰＣから画像形成装置に機密プリントを指定してプリントデータを送信すると、画像形成装置ではプリントデータを直ちにプリントすることなく記憶しておき、ユーザが画像形成装置にログインした時点で、先に受信されたプリントデータをプリントする機密プリント機能が知られている。
【０００４】
しかしながら、従来の画像形成装置が機密プリント機能を備えることが考えられるが、ユーザがログインした時点で、動作モードで先に受信されたプリントデータをプリントした後、所定時間経過しなければ省電力モードに切り換えられない。このため、機密プリントが指定されたプリントデータをプリントした後、省電力モードに切り換えるまでに消費される電力が無駄になってしまうといった問題があった。
【特許文献１】特開２００５−４３５８８号公報
【発明の概要】
【発明が解決しようとする課題】
【０００５】
この発明は、上述した問題点を解決するためになされたもので、この発明の目的の１つは、消費電力を抑えた画像形成装置を提供することである。
【０００６】
この発明の他の目的は、消費電力を抑えた機密プリント方法を提供することである。
【０００７】
この発明のさらに他の目的は、消費電力を抑えた機密プリントプログラムを提供することである。
【課題を解決するための手段】
【０００８】
上述した目的を達成するためにこの発明のある局面によれば、画像形成装置は、画像を形成する画像形成手段と、動作可能モードと、動作可能モードよりも消費電力の小さい省電力モードとのいずれか一方に動作モードを切り換える切換手段と、個人情報とプリントデータとを含む機密プリントデータを受信し、記憶する機密プリント受信手段と、ユーザを認証する認証手段と、記憶された機密プリントデータのうちに認証手段により認証されたユーザのユーザ識別情報を含む機密プリントデータが存在する場合、認証されたユーザのユーザ識別情報を含む機密プリントデータに含まれるプリントデータの画像を画像形成手段に形成させる機密プリント手段と、人体を検出する検出センサと、個人情報が入力される個人情報読取装置と、個人情報読取装置に供給する電力を制御する電力制御手段と、を備え、切換手段は、省電力モードに切り換えているときに、認証手段によりユーザが認証されることに応じて、動作可能モードに切り換える動作可能モード切換手段と、動作可能モード切換手段により動作可能モードに切り換えられた後、画像形成手段による認証されたユーザのユーザ識別情報を含む機密プリントデータに含まれるプリントデータの画像形成が終了した後に、省電力モードに切り換える省電力モード切換手段と、を含み、認証手段は、個人情報読取装置に入力された個人情報に基づいて、ユーザを認証し、電力制御手段は、切換手段により省電力モードに切り換えられる場合、記憶手段に機密プリントデータが記憶されている場合は、個人情報読取装置に電力を供給し、記憶手段に機密プリントデータが記憶されていない場合は、個人情報読取装置に供給する電力を遮断し、検出センサにより人体が検出されることに応じて、個人情報読取装置に電力を供給する。
【０００９】
この局面に従えば、省電力モードに切り換えられているときに、ユーザが認証されることに応じて、動作可能モードに切り換えられ、認証されたユーザのユーザ識別情報を含む機密プリントデータに含まれるプリントデータの画像形成が終了した後に、省電力モードに切り換えられる。このため、動作モードが動作可能モードとなる時間が短くなるので、消費電力を抑えた画像形成装置を提供することができる。また、省電力モードに切り換えられる場合、機密プリントデータが記憶されている場合は、個人情報読取装置に電力が供給されるので、個人情報読取装置が読み取り可能になるまでの起動時間の間待つ必要なく、直ちに個人情報を読み取らせることができる。また、機密プリントデータが記憶されていない場合は、個人情報読取装置に供給する電力を遮断し、検出センサにより人体が検出されることに応じて、個人情報読取装置に電力を供給するので、個人情報読取装置により消費される電力を少なくすることができる。
【００１０】
好ましくは、動作可能モードは、全動作可能モードと、全動作可能モードよりも消費電力の小さいプリント動作可能モードと、を含み、動作可能モード切換手段は、記憶された機密プリントデータのうちに認証手段により認証されたユーザのユーザ識別情報を含む機密プリントデータが存在する場合は、プリント動作可能モードに切り換える第１切換手段と、記憶された機密プリントデータのうちに認証手段により認証されたユーザのユーザ識別情報を含む機密プリントデータが存在しない場合は、全動作可能モードに切り換える第２切換手段と、を含む。
【００１１】
この局面に従えば、認証されたユーザのユーザ識別情報を含む機密プリントデータが存在する場合は、プリント動作可能モードに切り換えられ、認証されたユーザのユーザ識別情報を含む機密プリントデータが存在しない場合は、全動作可能モードに切り換えられる。このため、機密プリントデータの画像を形成するのに必要な電力のみを消費するようにして、消費電力をさらに抑えることができる。
【００１４】
好ましくは、個人情報読取装置は、個人情報を読み取り、出力する外部装置を含む。
【００１５】
好ましくは、外部装置と接続可能であり、接続された外部装置に電力を供給する通信回路を含み、認証手段は、通信回路に外部装置が接続されているか否かを検出する接続検出手段をさらに含み、電力制御手段は、切換手段により省電力モードに切り換えられる間、接続検出手段により外部装置が接続されていることが検出されている場合は、操作パネルよりも優先して通信回路に電力を供給する。
【００１６】
好ましくは、個人情報読取装置は、ユーザの操作を受け付ける操作パネルを含む。
【００１７】
好ましくは、認証手段によりユーザが認証された後に、認証に成功したことを通知する通知手段をさらに備え、電力制御手段は、認証手段により認証されることに応じて、通知手段に電力を供給する。
【００１８】
この発明の他の局面によれば、機密プリント方法は、画像を形成する画像形成手段を備えた画像形成装置で実行される機密プリント方法であって、画像形成装置は、人体を検出する検出センサと、個人情報が入力される個人情報読取装置と、を備え、動作可能モードと、動作可能モードよりも消費電力の小さい省電力モードとのいずれか一方に動作モードを切り換える切換ステップと、個人情報とプリントデータとを含む機密プリントデータを受信し、記憶する記憶ステップと、ユーザを認証する認証ステップと、記憶された機密プリントデータのうちに認証されたユーザのユーザ識別情報を含む機密プリントデータが存在する場合、認証されたユーザのユーザ識別情報を含む機密プリントデータに含まれるプリントデータの画像を画像形成手段に形成させるステップと、個人情報読取装置に供給する電力を制御する電力制御ステップと、を含み、切換ステップは、省電力モードに切り換えているときに、認証するステップにおいてユーザが認証されることに応じて、動作可能モードに切り換えるステップと、動作可能モードに切り換えられた後、画像形成手段による認証されたユーザのユーザ識別情報を含む機密プリントデータに含まれるプリントデータの画像形成が終了した後に、省電力モードに切り換えるステップと、を含み、認証ステップは、個人情報読取装置に入力された個人情報に基づいて、ユーザを認証し、電力制御ステップは、切換ステップにおいて省電力モードに切り換えられる場合、記憶ステップにおいて機密プリントデータが記憶されている場合は、個人情報読取装置に電力を供給するステップと、切換ステップにおいて省電力モードに切り換えられる場合、記憶ステップにおいて機密プリントデータが記憶されていない場合は、個人情報読取装置に供給する電力を遮断し、検出センサにより人体が検出されることに応じて、個人情報読取装置に電力を供給するステップと、を含む。
【００１９】
この局面に従えば、消費電力を抑えた機密プリント方法を提供することができる。
【００２０】
この発明のさらに他の局面によれば、機密プリントプログラムは、画像を形成する画像形成手段を備えた画像形成装置を制御するコンピュータで実行される機密プリントプログラムであって、画像形成装置は、人体を検出する検出センサと、個人情報が入力される個人情報読取装置と、を備え、動作可能モードと、動作可能モードよりも消費電力の小さい省電力モードとのいずれか一方に動作モードを切り換える切換ステップと、個人情報とプリントデータとを含む機密プリントデータを受信し、記憶する記憶ステップと、ユーザを認証する認証ステップと、記憶された機密プリントデータのうちに認証されたユーザのユーザ識別情報を含む機密プリントデータが存在する場合、認証されたユーザのユーザ識別情報を含む機密プリントデータに含まれるプリントデータの画像を画像形成手段に形成させるステップと、個人情報読取装置に供給する電力を制御する電力制御ステップと、をコンピュータに実行させ、切換ステップは、省電力モードに切り換えているときに、認証するステップにおいてユーザが認証されることに応じて、動作可能モードに切り換えるステップと、動作可能モードに切り換えられた後、画像形成手段による認証されたユーザのユーザ識別情報を含む機密プリントデータに含まれるプリントデータの画像形成が終了した後に、省電力モードに切り換えるステップと、を含み、認証ステップは、個人情報読取装置に入力された個人情報に基づいて、ユーザを認証し、電力制御ステップは、切換ステップにおいて省電力モードに切り換えられる場合、記憶ステップにおいて機密プリントデータが記憶されている場合は、個人情報読取装置に電力を供給するステップと、切換ステップにおいて省電力モードに切り換えられる場合、記憶ステップにおいて機密プリントデータが記憶されていない場合は、個人情報読取装置に供給する電力を遮断し、検出センサにより人体が検出されることに応じて、個人情報読取装置に電力を供給するステップと、を含む、機密プリントプログラム。
【００２１】
この局面に従えば、消費電力を抑えた機密プリントプログラムを提供することができる。
【図面の簡単な説明】
【００２２】
【図１】ＭＦＰのハードウエア構成の一例を示すブロック図である。
【図２】ＭＦＰが備えるＣＰＵの機能の概要をＨＤＤに記憶されたデータとともに示す機能ブロック図である。
【図３】機密プリントデータのフォーマットの一例を示す図である。
【図４】ユーザデータのデータフォーマットの一例を示す図である。
【図５】動作モードの遷移を説明するための図である。
【図６】動作モード別の電力供給状態の一例を示す図である。
【図７】動作モードの遷移の一例を示すタイムチャートである。
【図８】個人情報読取装置設定処理の流れの一例を示すフローチャートである。
【図９】全動作モード処理の流れの一例を示すフローチャートである。
【図１０】省電力モード処理の流れの一例を示すフローチャートである。
【図１１】プリント動作モード処理の流れの一例を示すフローチャートである。
【発明を実施するための形態】
【００２３】
以下、本発明の実施の形態について図面を参照して説明する。以下の説明では同一の部品には同一の符号を付してある。それらの名称および機能も同じである。したがってそれらについての詳細な説明は繰返さない。
【００２４】
図１は、ＭＦＰのハードウエア構成の一例を示すブロック図である。図１を参照して、ＭＦＰ１００は、メイン回路１０１と、自動原稿読取装置（ＡＤＦ）１０と、原稿読取部２０と、画像形成部３０と、給紙部４０と、ユーザインターフェースとしての操作パネル１３と、通信Ｉ／Ｆ６０と、電源回路５０と、を含む。
【００２５】
メイン回路１０１は、ＣＰＵ１１１と、ＲＯＭ（Ｒｅａｄ  Ｏｎｌｙ  Ｍｅｍｏｒｙ）１１２と、ＲＡＭ（Ｒａｎｄｏｍ  Ａｃｃｅｓｓ  Ｍｅｍｏｒｙ）１１３と、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）１１４と、大容量記憶装置としてのハードディスクドライブ（ＨＤＤ）１１５と、ファクシミリ部１１６と、ネットワークＩ／Ｆ１１７と、人体検出センサ１１８と、ＣＤ−ＲＯＭ（Ｃｏｍｐａｃｔ  Ｄｉｓｋ  Ｒｅａｄ  Ｏｎｌｙ  Ｍｅｍｏｒｙ）１１９Ａが装着される外部記憶装置１１９と、を含む。ＣＰＵ１１１は、ＡＤＦ１０、原稿読取部２０、画像形成部３０、給紙部４０、操作パネル１３、通信Ｉ／Ｆ６０および電源回路５０と接続され、ＭＦＰ１００の全体を制御する。
【００２６】
ＡＤＦ１０は、原稿給紙トレイ上にセットされた複数枚の原稿を１枚ずつ自動的に原稿読取部２０のプラテンガラス上に設定された所定の原稿読取位置まで搬送し、原稿読取部２０により原稿画像が読み取られた原稿を原稿排紙トレイ上に排出する。原稿読取部２０は、原稿読取位置に搬送されてきた原稿に光を照射する光源と、原稿で反射した光を受光する光電変換素子とを含み、原稿のサイズに応じた原稿画像を走査する。光電変換素子は、受光した光を電気信号である画像データに変換して、メモリに記憶する、または画像形成部３０に出力する。
【００２７】
画像形成部３０は、周知の電子写真方式により画像を形成するものであって、原稿読取部２０から入力される画像データにシェーディング補正などの各種のデータ処理を施し、データ処理後の画像データに基づいて、給紙部４０により搬送される用紙に画像を形成する。給紙部４０は、給紙トレイに収納された用紙を画像形成部３０に搬送する。
【００２８】
通信Ｉ／Ｆ６０は、ＣＰＵ１１１と接続され、ＭＦＰ１００を他の装置とシリアル通信ケーブルで接続するためのインターフェースである。通信Ｉ／Ｆ６０は、カードリーダ７０と接続が可能である。通信Ｉ／Ｆ６０にカードリーダ７０が装着される場合、カードリーダ７０は、通信Ｉ／Ｆ６０から電力の供給を受け、駆動する。
【００２９】
カードリーダ７０は、ユーザが所有するＩＣカードが挿入され、挿入されたＩＣカードに記憶されたユーザ識別情報をＩＣカードから読み出し、読み出したユーザ識別情報を、通信Ｉ／Ｆ６０に送信する。
【００３０】
電源回路５０は、商用電源から電力が供給され、供給された交流の電力を所定の電圧の直流に変換する。電源回路５０は、ＣＰＵ１１１により制御され、ＭＦＰ１００の全体または一部に電力を供給する。
【００３１】
ＲＯＭ１１２は、ＣＰＵ１１１が実行するプログラム、およびそのプログラムを実行するために必要なデータを記憶する。ＲＡＭ１１３は、ＣＰＵ１１１がプログラムを実行する際の作業領域として用いられる。
【００３２】
ファクシミリ部１１６は、公衆交換電話網（ＰＳＴＮ）に接続され、ＰＳＴＮにファクシミリデータを送信する、またはＰＳＴＮからファクシミリデータを受信する。ファクシミリ部１１６は、受信したファクシミリデータを、ＨＤＤ１１５に記憶する、または画像形成部３０に出力する。画像形成部３０は、ファクシミリ部１１６により受信されたファクシミリデータの画像を用紙に形成する。また、ファクシミリ部１１６は、ＨＤＤ１１５に記憶されたデータをファクシミリデータに変換して、ＰＳＴＮに接続されたファクシミリ装置に送信する。
【００３３】
ネットワークＩ／Ｆ１１７は、ＭＦＰ１００をネットワークに接続するためのインターフェースである。ＣＰＵ１１１は、ネットワークＩ／Ｆ１１７を介してネットワークに接続されたパーソナルコンピュータ（ＰＣ）と通信可能であり、ＰＣとの間でデータを送受信する。特に、ＰＣから受信される機密プリントデータを受信する。
【００３４】
人体検出センサ１１８は、物体から発せられる赤外線を検出する赤外線センサである。人体検出センサ１１８は、検出可能な範囲内に人が存在すれば、人の体から発せられる赤外線を検出し、ＯＮ信号をＣＰＵ１１１に出力し、赤外線を検出しなければＯＦＦ信号をＣＰＵ１１１に出力する。
【００３５】
外部記憶装置１１９は、ＣＤ−ＲＯＭ１１９Ａが装着される。ＣＰＵ１１１は、外部記憶装置１１９を介してＣＤ−ＲＯＭ１１９Ａにアクセス可能であり、ＣＤ−ＲＯＭ１１９Ａに記憶されたプログラムをＲＡＭ１１３にロードして実行可能である。なお、ＣＰＵ１１１が実行するプログラムは、ＣＤ−ＲＯＭ１１９Ａに記憶されたプログラムに限られず、他の記憶媒体に記憶されたプログラムでもよく、ＨＤＤ１１５に記憶されたプログラムであってもよく、さらに、ネットワークＩ／Ｆ１１７を介してネットワークに接続された他のコンピュータによりＨＤＤ１１５に書き込みされたプログラムであってもよい。
【００３６】
なお、プログラムを記憶する記憶媒体としては、ＣＤ−ＲＯＭ１１９Ａに限られず、光ディスク（ＭＯ（Ｍａｇｎｅｔｉｃ  Ｏｐｔｉｃａｌ  Ｄｉｓｃ）／ＭＤ（Ｍｉｎｉ  Ｄｉｓｃ）／ＤＶＤ（Ｄｉｇｉｔａｌ  Ｖｅｒｓａｔｉｌｅ  Ｄｉｓｃ））、ＩＣカード、光カード、マスクＲＯＭ、ＥＰＲＯＭ（Ｅｒａｓａｂｌｅ  Ｐｒｏｇｒａｍｍａｂｌｅ  ＲＯＭ）、ＥＥＰＲＯＭ（Ｅｌｅｃｔｒｉｃａｌｌｙ  Ｅｒａｓａｂｌｅ  ａｎｄ  Ｐｒｏｇｒａｍｍａｂｌｅ  ＲＯＭ）などの半導体メモリでもよい。
【００３７】
ここでいうプログラムは、ＣＰＵ１１１が直接実行可能なプログラムだけでなく、ソースプログラム、圧縮処理されたプログラム、暗号化されたプログラム等を含む。
【００３８】
操作パネル１３は、ＭＦＰ１００の上面に設けられ、表示部１０３と、操作部１０５とを含む。表示部１０３は、液晶表示装置、有機ＥＬＤ（Ｅｌｅｃｔｒｏｌｕｍｉｎｅｓｃｅｎｃｅ  Ｄｉｓｐｌａｙ）等の表示装置であり、ユーザに対する指示メニューや取得した表示データに関する情報等を表示する。操作部１０５は、ユーザの操作を受け付け、受け付けられた操作をＣＰＵ１１１に出力する。操作部１０５は、表示部１０３の上に重畳して配置されたタッチパネルを含む。タッチパネルは、透明な部材からなり、表示部１０３に重畳して配置される。タッチパネルは、ユーザがタッチパネルを指で触れると、触れられた位置を指示位置として検出し、ＣＰＵ１１１に出力する。
【００３９】
図２は、ＭＦＰが備えるＣＰＵの機能の概要をＨＤＤに記憶されたデータとともに示すブロック図である。図２に示すＣＰＵ１１１の機能は、ＣＰＵ１１１がＲＯＭ１１２、ＨＤＤ１１５またはＣＤ−ＲＯＭ１１９Ａに記憶された機密プリントプログラムを実行することにより形成される。図２を参照して、ＭＦＰ１００が備えるＣＰＵ１１１は、機密プリントデータを受信する機密プリント受信部１３１と、ユーザを認証する認証部１３３と、機密プリント部１３７と、動作モードを切り換える切換部１３９と、人を検出する人体検出部１４９と、通知部１５１と、電源回路５０を制御する電力制御部１５３と、を含む。
【００４０】
機密プリント受信部１３１は、ネットワークＩ／Ｆ１１７がネットワークに接続されたＰＣ等から機密プリントデータを受信すると、ネットワークＩ／Ｆ１１７から機密プリントデータを取得する。機密プリントデータは、ＰＣを操作するユーザが、ＰＣからＭＦＰ１００にプリントデータを送信する際に、機密プリントであることを指示することにより、ＰＣからＭＦＰ１００に送信されるデータであり、機密プリントであることを示すために、プリントデータにＰＣのユーザを識別するためのユーザ識別情報が付加されたデータである。機密プリント受信部１３１は、ネットワークＩ／Ｆ１１７から機密プリントデータを取得すると、取得された機密プリントデータをＨＤＤ１１５に記憶する。これにより、機密プリントデータ８３がＨＤＤ１１５に記憶される。
【００４１】
図３は、機密プリントデータのフォーマットの一例を示す図である。図３を参照して、機密プリントデータ８３は、ユーザ識別情報の項目と、プリントデータの項目とを含む。ユーザ識別情報の項目にはユーザ識別情報が設定され、ユーザ識別情報は、プリントデータの送信を指示したユーザを識別するための情報である。
【００４２】
図２に戻って、認証部１３３は、接続検出部１３５を含む。接続検出部１３５は、通信Ｉ／Ｆ６０にカードリーダ７０が接続されているか否かを判断する。例えば、通信Ｉ／Ｆ６０を介してカードリーダ７０と通信できるか否かで判断する。接続検出部１３５は、通信Ｉ／Ｆ６０にカードリーダ７０が接続されていると判断する場合、カードリーダ７０を、個人情報読取装置に設定し、通信Ｉ／Ｆ６０にカードリーダ７０が接続されていないと判断する場合、操作パネル１３を個人情報読取装置に設定する。接続検出部１３５は、カードリーダ７０を個人情報読取装置に設定する場合、通信Ｉ／Ｆ６０の装置識別情報を電力制御部１５３に出力し、操作パネル１３を個人情報読取装置に設定する場合、操作パネル１３の装置識別情報を電力制御部１５３に出力する。
【００４３】
認証部１３３は、接続検出部１３５がカードリーダ７０を個人情報読取装置に設定する場合、通信Ｉ／Ｆ６０を介してカードリーダ７０と通信し、カードリーダ７０にＩＣカードが挿入されたか否かを判断する。さらに、認証部１３３は、カードリーダ７０に、ＩＣカードに記憶されたユーザ識別情報を読み取らせ、カードリーダ７０からユーザ識別情報を取得する。認証部１３３は、取得されたユーザ識別情報が割り当てられたユーザがＭＦＰ１００の操作を許可されたユーザか否かを判断する。
【００４４】
ＨＤＤ１１５に、ＭＦＰ１００の操作を許可されたユーザのユーザ識別情報を含むユーザデータが予め記憶されており、認証部１３３は、カードリーダ７０から取得されたユーザ識別情報がＨＤＤ１１５に記憶されたユーザデータ８１に含まれているか否かを判断する。認証部１３３は、カードリーダ７０から取得されたユーザ識別情報がユーザデータ８１に含まれているならば認証するが、ユーザデータ８１に含まれていなければ認証しない。認証部１３３は、認証する場合、カードリーダ７０から取得されたユーザ識別情報を含む認証信号を機密プリント部１３７、切換部１３９、通知部１５１および電力制御部１５３に出力する。
【００４５】
認証部１３３は、接続検出部１３５が操作パネル１３を個人情報読取装置に設定する場合、ユーザが操作部１０５を操作したか否かを検出し、ユーザが操作部１０５を操作したことを検出すると、ユーザが操作部１０５に入力するユーザ識別情報とパスワードの組を取得する。認証部１３３は、操作部１０５から取得されたユーザ識別情報とパスワードの組がＨＤＤ１１５に記憶されたユーザデータ８１に含まれているか否かを判断する。認証部１３３は、操作部１０５から入力されたユーザ識別情報とパスワードの組みがユーザデータ８１に含まれていれば認証するが、ユーザデータ８１に含まれていなければ認証しない。認証部１３３は、認証する場合、操作部１０５から取得されたユーザ識別情報を含む認証信号を機密プリント部１３７、切換部１３９、通知部１５１および電力制御部１５３に出力する。
【００４６】
図４は、ユーザデータのデータフォーマットの一例を示す図である。図４を参照して、ユーザデータ８１は、ユーザ識別情報の項目と、パスワードの項目とを含む。ユーザ識別情報の項目には、ユーザ識別情報が設定され、パスワードの項目には、パスワードが設定される。
【００４７】
図２に戻って、通知部１５１は、認証部１３３から認証信号が入力されると、認証に成功したことをユーザに通知する。ここでは、表示部１０３に認証に成功したことを示すメッセージを表示する。
【００４８】
機密プリント部１３７は、認証部１３３からユーザ識別情報が入力されることに応じて、入力されたユーザ識別情報を含む機密プリントデータ８３がＨＤＤ１１５に記憶されているか否かを判断する。認証部１３３から入力されるユーザ識別情報を含む機密プリントデータ８３がＨＤＤ１１５に記憶されている場合、入力されたユーザ識別情報を含む全ての機密プリントデータ８３を抽出する。機密プリント部１３７は、画像形成部３０を制御して、抽出された機密プリントデータに含まれるプリントデータの画像を形成する。
【００４９】
機密プリント部１３７は、認証部１３３からユーザ識別情報が入力されることに応じて、機密プリントデータに含まれるプリントデータの画像を形成するので、ユーザは、ＰＣを操作してプリントデータを機密プリントを指定してＭＦＰ１００に送信した後、ＭＦＰ１００にログインすれば、先に送信したプリントデータの画像が形成される。このため、プリントデータの画像が形成された用紙を他人に見られるのを防止することができる。
【００５０】
機密プリント部１３７は、機密プリントデータ８３に含まれるプリントデータの画像形成が終了すると、その機密プリントデータ８３をＨＤＤ１１５から削除するとともに、機密プリント終了信号を切換部１３９に出力する。
【００５１】
切換部１３９は、動作モードを切り換える。動作モードは、全動作モードと、全動作モードより消費電力の小さいプリント動作モードと、プリント動作モードより消費電力の小さい省電力モードとを含む。全動作モードとプリント動作モードとは、少なくとも画像の形成が可能な動作モードであり、全動作モードとプリント動作モードとを総称して、プリント可能モードという。ここで、動作モードの遷移について説明する。
【００５２】
図５は、動作モードの遷移を説明するための図である。図５を参照して、動作モードは、全動作モードにおいて第１省電力切換イベントが発生すると、省電力モードに遷移し、省電力モードにおいて全動作切換イベントが発生すると、全動作モードに遷移する。また、動作モードは、省電力モードにおいてプリント動作切換イベントが発生すると、プリント動作モードに遷移し、プリント動作モードにおいて第２省電力切換イベントが発生すると、省電力モードに遷移する
図２に戻って、切換部１３９は、省電力モード切換部１４１と、動作可能モード切換部１４３とを含む。省電力モード切換部１４１は、全動作モードにおいて第１省電力切換イベントを検出すると、動作モードを省電力モードに切り換える。省電力モード切換部１４１は、操作部１０５によって所定の時間継続してユーザによる操作が検出されなければ、第１省電力切換イベントを検出する。省電力モード切換部１４１は、動作モードを全動作モードから省電力モードに切り換える場合、第１省電力切換信号を電力制御部１５３に出力する。また、省電力モード切換部１４１は、プリント動作モードにおいて第２省電力切換イベントを検出すると、動作モードを省電力モードに切り換える。省電力モード切換部１４１は、機密プリント部１３７から機密プリント終了信号が入力されると、第２省電力切換イベントを検出する。省電力モード切換部１４１は、動作モードをプリント動作モードから省電力モードに切り換える場合、省電力切換信号を電力制御部１５３に出力する。
【００５３】
動作可能モード切換部１４３は、第１切換部１４５と、第２切換部１４７とを含む。第１切換部１４５は、省電力モードにおいてプリント動作切換イベントを検出すると、動作モードをプリント動作モードに切り換える。第１切換部１４５は、認証部１３３から認証信号が入力され、入力された認証信号に含まれるユーザ識別情報を含む機密プリントデータ８３がＨＤＤ１１５に記憶されていれば、プリント動作切換イベントを検出する。第１切換部１４５は、動作モードをプリント動作モードに切り換える場合、電力制御部１５３にプリント動作切換信号を出力する。
【００５４】
第２切換部１４７は、省電力モードにおいて全動作切換イベントを検出すると、動作モードを全動作モードに切り換える。第２切換部１４７は、認証部１３３から認証信号が入力され、入力された認証信号に含まれるユーザ識別情報を含む機密プリントデータ８３がＨＤＤ１１５に記憶されていなければ、全動作切換イベントを検出する。第２切換部１４７は、動作モードを全動作モードに切り換える場合、電力制御部１５３に全動作切換信号を出力する。
【００５５】
人体検出部１４９は、人体検出センサ１１８からＯＮ信号またはＯＦＦ信号が入力される。人体検出部１４９は、人体検出センサ１１８からＯＮ信号が入力されている間、人を検出したことを示す検出信号を電力制御部１５３に出力し、人体検出センサ１１８からＯＦＦ信号が入力されている間は、検出信号を電力制御部１５３に出力しない。
【００５６】
電力制御部１５３は、電源回路５０を制御して、ＭＦＰ１００の全体または一部に電力を供給する。ＭＦＰ１００に電力が供給される部分は、動作モードによって異なる。電力制御部１５３は、切換部１３９から省電力切換信号、プリント動作切換信号および全動作切換信号のいずれかが入力され、切換部１３９により切り換えられた動作モードを判断する。具体的には、電力制御部１５３は、切換部１３９から省電力切換信号が入力されると、動作モードが省電力モードに切り換えられたと判断する。電力制御部１５３は、切換部１３９からプリント動作切換信号が入力されると、動作モードがプリント動作モードに切り換えられたと判断する。電力制御部１５３は、切換部１３９から全動作切換信号が入力されると、動作モードが全動作モードに切り換えられたと判断する。
【００５７】
電力制御部１５３は、ＭＦＰの各部のうちで、切換部１３９により切り換えられた動作モードに対応して予め定められた部分に電力を供給する部分を決定する。
【００５８】
図６は、動作モード別の電力供給状態の一例を示す図である。図６において、○印は、該当の動作モードで電力が供給されることを示し、×印は、該当の動作モードで電力が供給されないことを示し、△印は、該当の動作モードにおいて電力が供給される場合と、電力が供給されない場合とがあることを示す。
【００５９】
図６を参照して、全動作モードにおいては、メイン回路１０１、ＡＤＦ１０、原稿読取部２０、画像形成部３０、給紙部４０、操作パネル１３、通信Ｉ／Ｆ６０に電力が供給される。
【００６０】
プリント動作モードにおいては、メイン回路１０１、画像形成部３０、給紙部４０、操作パネル１３および通信Ｉ／Ｆ６０に電力が供給され、ＡＤＦ１０、原稿読取部２０、給紙部４０、に電力が供給されない。
【００６１】
省電力モードにおいては、メイン回路１０１に電力が供給され、ＡＤＦ１０、原稿読取部２０、画像形成部３０、給紙部４０に電力が供給されない。操作パネル１３および通信Ｉ／Ｆ６０には、人体検出センサ１１８により人が検出された場合に電力が供給され、人が検出されない場合は電力が供給されない。
【００６２】
図２に戻って、電力制御部１５３は、省電力モードにおいて、操作パネル１３および通信Ｉ／Ｆ６０に電力を供給しないが、省電力モードにおいて、ユーザがログインする場合に備えて、人体検出センサ１１８により人が検出されることに応じて、操作パネル１３および通信Ｉ／Ｆ６０に電力を供給する。具体的には、電力制御部１５３は、カードリーダ７０が個人情報読取装置に設定されている場合は、人体検出部１４９から検出信号が入力されることに応じて、通信Ｉ／Ｆ６０に電力を供給し、その後、認証部１３３より認証信号が入力されると、表示部１０３に電力を供給する。また、電力制御部１５３は、操作パネル１３が個人情報読取装置に設定されている場合は、人体検出部１４９から検出信号が入力されることに応じて、操作パネル１３に電力を供給する。
【００６３】
なお、省電力モードにおいて、ＨＤＤ１１５に機密プリントデータが記憶されている場合に個人情報読取装置に電力を供給するようにし、ＨＤＤ１１５に機密プリントデータが記憶されていない場合は個人情報読取装置に電力を供給しないようにしてもよい。これにより、ＨＤＤ１１５に機密プリントデータが記憶されていない場合における電力の消費を抑えることができる。また、ＨＤＤ１１５に機密プリントデータが記憶されている場合、ユーザは、カードリーダ７０に電力が供給されてから読み取り可能な状態になるまで待つ必要がない。
【００６４】
図７は、動作モードの遷移の一例を示すタイムチャートである。ここでは、通信Ｉ／Ｆ６０にカードリーダ７０が接続されており、カードリーダ７０が個人情報読取装置に設定されている場合を例に説明する。図７を参照して、期間Ｔ１は、動作モードが全動作モードを示している。期間Ｔ１において、人体検出センサ１１８がＯＮになり、人が検出される時刻ｔ０までは、カードリーダ７０に電力が供給されてＯＮとなるが、人体検出センサ１１８がＯＦＦとなり人が検出されなくなる時刻ｔ１以降は、カードリーダ７０に電力が供給されずＯＦＦとなる。その後、ユーザが操作パネル１３に操作を入力することなく所定時間が経過した時刻ｔ１において、動作モードは省電力モードになる。
【００６５】
時刻ｔ１〜時刻ｔ３の期間Ｔ２は、動作モードが省電力モードを示す。時刻ｔ１において、人体検出センサ１１８はＯＦＦとなり人を検出していないため、カードリーダ７０はＯＦＦである。人体検出センサ１１８がＯＮとなり人を検出する時刻ｔ２において、カードリーダ７０がＯＮとなる。時刻ｔ３は、ユーザがＩＣカードをカードリーダ７０に挿入した時刻を示す。時刻ｔ３において、カードリーダ７０はＯＮなので、カードリーダ７０にＩＣカードが挿入されたことを検出することができ、認証する。これに応じて、動作モードを動作可能モードに切り換えるが、ここでは、ＨＤＤ１１５に、認証されたユーザのユーザ識別情報を含む機密プリントデータが記憶されているとする。この場合は、動作モードは、プリント動作モードになる。
【００６６】
時刻ｔ３から時刻ｔ４までの期間Ｔ３は、動作モードがプリント動作モードを示す。時刻ｔ３から、ＨＤＤ１１５に記憶されている認証されたユーザのユーザ識別情報を含む機密プリントデータのプリントが開始され、そのプリントが終了した時刻ｔ４において、動作モードが省電力モードになる。プリント動作モードにおいては、メイン回路１０１、画像形成部３０、給紙部４０、操作パネル１３および通信Ｉ／Ｆ６０に電力が供給され、ＡＤＦ１０、原稿読取部２０、給紙部４０、に電力が供給されないので、全動作モードよりも消費電力が小さい。このため、機密プリントデータのプリントに必要な部分のみの電力を供給して、消費電力をできるだけ小さくすることができる。また、ＨＤＤ１１５に機密プリントデータが記憶されているユーザは、ログイン時に機密プリントデータのプリント以外の処理をＭＦＰ１００に実行させる確率は低いので、機密プリントデータのプリントが終了した後は、直ちに省電力モードに切り換えることによって、ＭＦＰ１００が処理を実行しない待機時の消費電力を小さくすることができる。
【００６７】
時刻ｔ４〜時刻ｔ７の期間Ｔ４は、動作モードが省電力モードを示す。時刻ｔ４において、人体検出センサ１１８がＯＮとなりログインしたユーザが検出されているが、そのユーザがＭＦＰ１００を離れて、人体検出センサ１１８がＯＦＦとなりユーザを検出しなくなる時刻ｔ５において、カードリーダ７０はＯＦＦとなる。
【００６８】
その後、時刻ｔ６において、人体検出センサ１１８がＯＮとなり人を検出すると、カードリーダ７０がＯＮとなる。時刻ｔ７は、ユーザがＩＣカードをカードリーダ７０に挿入した時刻を示す。時刻ｔ７において、カードリーダ７０はＯＮなので、カードリーダ７０にＩＣカードが挿入されたことを検出することができ、認証する。これに応じて、動作モードを動作可能モードに切り換えるが、ここでは、ＨＤＤ１１５に、認証されたユーザのユーザ識別情報を含む機密プリントデータが記憶されていない。この場合は、動作モードは、全動作モードになる。したがって、時刻ｔ７以降の期間Ｔ５は、動作モードが全動作モードを示す。時刻ｔ７において、ユーザがログインし、動作モードは全動作モードになるが、その後、ログインユーザが操作を終了して、ＭＦＰ１００から離れる時刻ｔ８において、人体検出センサ１１８がＯＦＦとなりユーザを検出しなくなるので、カードリーダ７０はＯＦＦになる。
【００６９】
図８は、個人情報読取装置処理の流れの一例を示すフローチャートである。個人情報読取装置設定処理は、ＣＰＵ１１１がＲＯＭ１１２、ＨＤＤ１１５またはＣＤ−ＲＯＭ１１９Ａに記憶された機密プリントプログラムを実行することにより、ＣＰＵ１１１により実行される処理である。個人情報読取装置設定処理は、ＭＦＰ１００に電源が投入された後の初期設定時に実行される。
【００７０】
図８を参照して、ＣＰＵ１１１は、カードリーダ７０が接続されているか否かを判断する（ステップＳ０１）。通信Ｉ／Ｆ６０を介してカードリーダ７０と通信できれば接続されていると判断する。カードリーダ７０が接続されているならば処理をステップＳ０２に進めるが、そうでなければ処理をステップＳ０３に進める。
【００７１】
ステップＳ０２においては、カードリーダ７０を個人情報読取装置に設定し、個人情報読取装置設定処理を終了する。ステップＳ０３においては、操作パネル１３を個人情報読取装置に設定し、個人情報読取装置設定処理を終了する。
【００７２】
図９は、全動作モード処理の流れの一例を示すフローチャートである。全動作モード処理は、ＣＰＵ１１１がＲＯＭ１１２、ＨＤＤ１１５またはＣＤ−ＲＯＭ１１９Ａに記憶された機密プリントプログラムを実行することにより、ＣＰＵ１１１により実行される処理である。全動作モード処理は、動作モードが全動作モードに設定されているときに実行される処理である。
【００７３】
図９を参照して、ユーザ識別情報が入力されたか否かを判断する（ステップＳ１１）。個人情報読取装置としてカードリーダ７０が設定されている場合、カードリーダ７０にＩＣカードが挿入されたか否かを判断する。カードリーダ７０にＩＣカードが挿入されたと判断する場合は、ＩＣカードからユーザ識別情報を読み出し、処理をステップＳ１２に進めるが、カードリーダ７０にＩＣカードが挿入されていないと判断する場合は、処理をステップＳ２１に進める。個人情報読取装置に操作パネル１３が設定されている場合、操作パネル１３にユーザ識別情報およびパスワードが入力されたか否かを判断する。ユーザ識別情報およびパスワードが入力されたならば処理をステップＳ１２に進めるが、そうでなければ処理をステップＳ２１に進める。
【００７４】
ステップＳ１２においては、ユーザを認証する。個人情報読取装置にカードリーダ７０が設定されている場合、ＩＣカードから読み出したユーザ識別情報が、ＨＤＤ１１５に記憶されているユーザデータ８１に登録されているか否かを判断する。ＩＣカードから読み出したユーザ識別情報がユーザデータ８１に登録されているならば認証するが、登録されていなければ認証しない。個人情報読取装置に操作パネル１３が設定されている場合、操作部１０５に入力されたユーザ識別情報とパスワードと同じユーザ識別情報とパスワードを含むユーザデータ８１がＨＤＤ１１５に記憶されている否かを判断する。操作部１０５に入力されたユーザ識別情報とパスワードと同じユーザ識別情報とパスワードを含むユーザデータ８１がＨＤＤ１１５に記憶されていれば認証するが、記憶されていなければ認証しない。
【００７５】
そして、認証が成功したか否かを判断する（ステップＳ１３）。認証に成功すれば処理をステップＳ１４に進めるが、そうでなければ処理をステップＳ１１に戻す。ステップＳ１４においては、表示部１０３にログイン表示をする。認証に成功したことをユーザに通知するために、表示部１０３に認証に成功したことを示すメッセージ、例えば「認証されました。」を表示する。次のステップＳ１５においては、操作を受け付けたか否かを判断する。ユーザが操作パネル１３に入力する操作を検出したか否かを判断する。操作を受け付けたならば処理をステップＳ１６に進めるが、そうでなければ処理をステップＳ１９に進める。
【００７６】
ステップＳ１６においては、受け付けられた操作がログアウト指示か否かを判断する。ステップＳ１５において受け付けられた操作がログアウト指示ならば処理をステップＳ１８に進めるが、そうでなければ処理をステップＳ１７に進める。ステップＳ１７においては、ステップＳ１５において受け付けた操作に対応する処理を実行し、処理をステップＳ１５に戻す。
【００７７】
ステップＳ１９においては、所定の時間が経過したか否かを判断する。ステップＳ１５において最後に操作を受け付けてから所定の時間が経過したならば、処理をステップＳ２０に進めるが、そうでなければ処理をステップＳ１５に戻す。ステップＳ２０においては、ログアウトし、処理をステップＳ１１に戻す。
【００７８】
一方、処理がステップＳ２１に進む場合、いずれのユーザもログインしておらず、ユーザ識別情報を受け付けない状態である。ステップＳ２１においては、所定の時間が経過したか否かを判断する。いずれのユーザもログインしておらず、ユーザ識別情報を受け付けることなく所定の時間が経過したならば、処理をステップＳ２２に進めるが、そうでなければ処理をステップＳ１１に戻す。ステップＳ２２においては、動作モードを省電力モードに切り換え、全動作モード処理を終了する。
【００７９】
図１０は、省電力モード処理の流れの一例を示すフローチャートである。省電力モード処理は、ＣＰＵ１１１がＲＯＭ１１２、ＨＤＤ１１５またはＣＤ−ＲＯＭ１１９Ａに記憶された機密プリントプログラムを実行することにより、ＣＰＵ１１１により実行される処理である。省電力モード処理は、動作モードが省電力モードに切り換わった時点、具体的には、図９のステップＳ２２の後に実行される処理である。
【００８０】
図１０を参照して、個人情報読取装置がＯＮか否かを判断する（ステップＳ３１）。個人情報読取装置にカードリーダ７０が設定されている場合、通信Ｉ／Ｆ６０に電力が供給されているか否かを判断し、個人情報読取装置に操作パネル１３が設定されている場合、操作パネル１３に電力が供給されているか否かを判断する。個人情報読取装置に電力が供給されているならば処理をステップＳ３４に進めるが、そうでなければ処理をステップＳ３２に進める。
【００８１】
ステップＳ３２においては、人を検出したか否かを判断する。人体検出センサ１１８からＯＮ信号が入力されると、人を検出する。人体検出センサ１１８からＯＮ信号が入力されると処理をステップＳ３３に進めるが、そうでなければ処理をステップＳ３１に戻す。ステップＳ３３においては、個人情報読取装置に電力を供給し、処理をステップＳ３１に戻す。個人情報読取装置にカードリーダ７０が設定されている場合、通信Ｉ／Ｆ６０に電力を供給し、個人情報読取装置に操作パネル１３が設定されている場合、操作パネル１３に電力を供給する。
【００８２】
ステップＳ３４においては、ユーザ識別情報が入力されたか否かを判断する。個人情報読取装置としてカードリーダ７０が設定されている場合、カードリーダ７０にＩＣカードが挿入されたか否かを判断する。カードリーダ７０にＩＣカードが挿入されたと判断する場合は、ＩＣカードからユーザ識別情報を読み出し、処理をステップＳ３７に進めるが、カードリーダ７０にＩＣカードが挿入されていないと判断する場合は、処理をステップＳ３５に進める。個人情報読取装置に操作パネル１３が設定されている場合、操作パネル１３にユーザ識別情報およびパスワードが入力されたか否かを判断する。ユーザ識別情報およびパスワードが入力されたならば処理をステップＳ３７に進めるが、そうでなければ処理をステップＳ３５に進める。
【００８３】
ステップＳ３５においては、所定時間経過したか否かを判断する。ステップＳ３１において個人情報読取装置に電力が供給されてからステップＳ３４においてユーザ識別情報が入力されることなく、所定時間が経過したか否かを判断する。個人情報読取装置に電力が供給されてからステップＳ３４においてユーザ識別情報が入力されることなく、所定時間が経過したならば、処理をステップＳ３６に進めるが、そうでなければ処理をステップＳ３４に戻す。個人情報読取装置にカードリーダ７０が設定されている場合、通信Ｉ／Ｆ６０に電力を供給してからカードリーダ７０にＩＣカードが挿入されることなく経過する経過時間が所定時間を越えたか否かを判断する。個人情報読取装置に操作パネル１３が設定されている場合、操作パネル１３に電力を供給してから操作部１０５にユーザ識別情報およびパスワードが入力されることなく経過する経過時間が所定時間を越えたか否かを判断する。
【００８４】
ステップＳ３６においては、ステップＳ３１において個人情報読取装置に供給した電力を遮断し、処理をステップＳ３１に戻す。個人情報読取装置にカードリーダ７０が設定されている場合、通信Ｉ／Ｆ６０に供給している電力を遮断し、個人情報読取装置に操作パネル１３が設定されている場合、操作パネル１３に供給している電力を遮断する。
【００８５】
ステップＳ３７においては、ユーザを認証する。個人情報読取装置にカードリーダ７０が設定されている場合、ＩＣカードから読み出したユーザ識別情報が、ＨＤＤ１１５に記憶されているユーザデータ８１に登録されているか否かを判断する。ＩＣカードから読み出したユーザ識別情報がユーザデータ８１に登録されているならば認証するが、登録されていなければ認証しない。個人情報読取装置に操作パネル１３が設定されている場合、操作部１０５に入力されたユーザ識別情報とパスワードと同じユーザ識別情報とパスワードを含むユーザデータ８１がＨＤＤ１１５に記憶されている否かを判断する。操作部１０５に入力されたユーザ識別情報とパスワードと同じユーザ識別情報とパスワードを含むユーザデータ８１がＨＤＤ１１５に記憶されていれば認証するが、記憶されていなければ認証しない。
【００８６】
そして、認証が成功したか否かを判断する（ステップＳ３８）。ステップＳ３７における認証が成功したならば処理をステップＳ３９に進めるが、そうでなければ処理をステップＳ３４に戻す。以下、認証に成功したユーザをログインユーザという。ステップＳ３９においては、表示部１０３にログイン表示をする。認証に成功したことをユーザに通知するために、表示部１０３に電力を供給した後、表示部１０３に認証に成功したことを示すメッセージ、例えば「認証されました。」を表示する。
【００８７】
次のステップＳ４０においては、ログインユーザの機密プリントデータがあるか否かを判断する。ステップＳ３４において入力されたユーザ識別情報を含む機密プリントデータがＨＤＤ１１５に記憶されているか否かを判断する。ステップＳ３４において入力されたユーザ識別情報を含む機密プリントデータがＨＤＤ１１５に記憶されているならば、処理をステップＳ４１に進めるが、そうでなければ処理をステップＳ４２に進める。
【００８８】
ステップＳ４１においては、動作モードをプリント動作モードに切り換え、省電力モード処理を終了する。ステップＳ４２においては、動作モードを全動作モードに切り換え、省電力モード処理を終了する。ステップＳ４２において、動作モードが全動作モードに切り換えられる場合、ステップＳ３７において、ユーザが認証されているので、図９に示した処理のステップＳ１５以降の処理が実行される。
【００８９】
図１１は、プリント動作モード処理の流れの一例を示すフローチャートである。プリント動作モード処理は、ＣＰＵ１１１がＲＯＭ１１２、ＨＤＤ１１５またはＣＤ−ＲＯＭ１１９Ａに記憶された機密プリントプログラムを実行することにより、ＣＰＵ１１１により実行される処理である。プリント動作モード処理は、動作モードがプリント動作モードに切り換わった時点、具体的には、図１０のステップＳ４１の後に実行される処理である。
【００９０】
図１１を参照して、画像形成部３０および給紙部４０に電力を供給する（ステップＳ５１）。次のステップＳ５２においては、ログインユーザのユーザ識別情報、換言すれば、図１０のステップＳ３４において入力されたユーザ識別情報を含む機密プリントデータをＨＤＤ１１５に記憶された機密プリントデータ８３のうちから選択する。
【００９１】
ステップＳ５３においては、ステップＳ５２において選択された機密プリントデータに含まれるプリントデータの画像を、画像形成部３０に出力し、画像形成部３０にプリントデータの画像を形成させる。そして、ステップＳ５２において選択された機密プリントデータをＨＤＤ１１５から削除する。次のステップＳ５４においては、次に処理対処とする機密プリントデータが存在するか否かを判断する。ＨＤＤ１１５に記憶されている機密プリントデータ８３のうちにログインユーザのユーザ識別情報を含む機密プリントデータがあるか否かを判断する。ＨＤＤ１１５にログインユーザのユーザ識別情報を含む機密プリントデータが記憶されているならば、処理をステップＳ５２に戻すが、そうでなければ処理をステップＳ５６に進める。
【００９２】
ステップＳ５６においては、画像形成部３０および給紙部４０へ供給している電力を遮断する。次のステップＳ５７においては、電力モードを省電力モードに切り換え、プリント動作モード処理を終了する。
【００９３】
以上説明したように、本実施の形態におけるＭＦＰ１００は、省電力モードに切り換えているときにユーザを認証する場合、動作モードを動作可能モードに切り換え、認証されたユーザのユーザ識別情報を含む機密プリントデータに含まれるプリントデータの画像形成が終了した後に、動作モードを省電力モードに切り換える。このため、動作モードが動作可能モードとなる時間が短くなるので、消費電力を抑えることができる。
【００９４】
また、省電力モードにおいて、認証されたユーザのユーザ識別情報を含む機密プリントデータ８３がＨＤＤ１１５に記憶されていると判断する場合は、動作モードをプリント動作可能モードに切り換え、認証されたユーザのユーザ識別情報を含む機密プリントデータ８３がＨＤＤ１１５に記憶されていないと判断する場合は、動作モードを全動作可能モードに切り換える。このため、機密プリントデータの画像を形成するのに必要な電力のみを消費するようにして、消費電力をさらに抑えることができる。
【００９５】
さらに、カードリーダ７０が通信Ｉ／Ｆ６０に接続されている場合において、省電力モードに切り換える場合、機密プリントデータ８３がＨＤＤ１１５に記憶されている場合は、カードリーダ７０に電力が供給されるので、カードリーダ７０が読み取り可能になるまでの起動時間の間待つ必要なく、直ちにユーザ識別情報を読み取らせることができる。また、機密プリントデータ８３がＨＤＤ１１５に記憶されていない場合は、カードリーダ７０に供給する電力を遮断し、人体検出センサ１１８により人が検出されることに応じて、カードリーダ７０に電力を供給するので、カードリーダ７０により消費される電力を少なくすることができる。
【００９６】
さらに、カードリーダ７０が通信Ｉ／Ｆ６０に接続されていない場合において、省電力モードに切り換える場合、機密プリントデータ８３がＨＤＤ１１５に記憶されている場合は、操作パネル１３に電力が供給されるので、操作パネル１３が起動するまでの時間を待つ必要なく、直ちにユーザ識別情報およびパスワードを入力させることができる。また、機密プリントデータ８３がＨＤＤ１１５に記憶されていない場合は、操作パネル１３に供給する電力を遮断し、人体検出センサ１１８により人が検出されることに応じて、操作パネル１３に電力を供給するので、操作パネル１３により消費される電力を少なくすることができる。
【００９７】
なお、本実施の形態においては、メイン回路１０１に常に電力を供給するようにしたが、メイン回路１０１とは別に省電力復帰制御部を設け、省電力モードにおいては省電力復帰制御部と、人体検出センサ１１８と、操作パネル１３または通信Ｉ／Ｆ６０と、に電力を供給し、メイン回路１０１への電力を遮断するようにしてもよい。この場合、ユーザが操作パネル１３またはカードリーダ７０に省電力モードから復帰する指示を入力することにより、省電力復帰制御部がメイン回路１０１に電力を供給するように制御する。また、省電力モードにおいてメイン回路１０１のうち人体検出センサ１１８にのみ電力を供給して、人体検出センサ１１８が人を検出することにより、省電力復帰制御部がメイン回路１０１に電力を供給するように制御してもよい。
【００９８】
また、全動作モードにおいて所定の時間、ユーザにより操作部１０５に操作が入力されないと、動作モードを省電力モードに切り換えるようにしたが、人体検出センサ１１８により人が検出されなくなるまでは、動作モードを省電力モードに切り換えないようにしてもよい。
【００９９】
さらに、全動作モードにおいて所定の時間、ユーザにより操作部１０５に操作が入力されないと、動作モードを省電力モードに切り換えるようにしたが、ＬｏｗＰｏｗｅｒモードに切り換えるようにしてもよい。ＬｏｗＰｏｗｅｒモードは、画像形成部３０に含まれる定着部等に電力を供給するモードであり、画像を形成可能になるまでの時間が省電力モードよりも短い。なお、定着部の温度を低温に制御して、消費電力を抑えるようにしてもよい。さらに、ＬｏｗＰｏｗｅｒモードから省電力モードへ遷移する時間をユーザが設定するようにし、動作モードがＬｏｗＰｏｗｅｒモードに遷移してからユーザにより設定された時間の経過後に省電力モードに遷移させるようにしてもよい。
【０１００】
また、本実施の形態におけるＭＦＰ１００は、省電力モードにおいて機密プリントデータ以外の通常のプリントデータを受信した場合、プリント動作モードに切り換えて画像の形成を行うようにする。これにより、通常のプリントデータの画像を形成する際、画像の形成に必要な電力のみを消費するので、消費電力を抑えることができる。
【０１０１】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【０１０２】
＜付記＞
（１）  前記電力制御手段は、前記認証手段に電力を供給してから所定の時間が経過しても前記認証手段によってユーザが認証されない場合、前記個人情報読取装置に供給する電力を遮断する、請求項３に記載の画像形成装置。
【符号の説明】
【０１０３】
１０  ＡＤＦ、１３  操作パネル、２０  原稿読取部、３０  画像形成部、４０  給紙部、５０  電源回路、６０  通信Ｉ／Ｆ、７０  カードリーダ、１０１  メイン回路、１０３  表示部、１０５  操作部、１１１  ＣＰＵ、１１２  ＲＯＭ、１１３  ＲＡＭ、１１４  ＥＥＰＲＯＭ、１１５  ＨＤＤ、１１６  ファクシミリ部、１１７  ネットワークＩ／Ｆ、１１８  人体検出センサ、１１９  外部記憶装置、１１９Ａ  ＣＤ−ＲＯＭ、１３１  機密プリント受信部、１３３  認証部、１３５  接続検出部、１３７  機密プリント部、１３９  切換部、１４１  省電力モード切換部、１４３  動作可能モード切換部、１４５  第１切換部、１４７  第２切換部、１４９  人体検出部、１５１  通知部、１５３  電力制御部。
【図１】
0005494301.tif 000002
【図２】
0005494301.tif 000003
【図３】
0005494301.tif 000004
【図４】
0005494301.tif 000005
【図５】
0005494301.tif 000006
【図６】
0005494301.tif 000007
【図７】
0005494301.tif 000008
【図８】
0005494301.tif 000009
【図９】
0005494301.tif 000010
【図１０】
0005494301.tif 000011
【図１１】
0005494301.tif 000012